(57)【要約】【課題】撓み難い、荷物の配置構造及び荷物の積載構造を提供する。【解決手段】荷物の配置構造は、扁平な形状をした扁平体１１と、複数の扁平体１１を結束させる結束材１２と、を備える。横置きの扁平体１１を積み上げた横置き集合体２０と、縦置きの扁平体１１を横に並べた縦置き集合体２１と、が並設される。横置き集合体２０と縦置き集合体２１が結束材１２により固定されることを特徴とする。【選択図】図１
2015214362.tif 000002
【特許請求の範囲】
【請求項１】
扁平な形状をした扁平体と、複数の前記扁平体を結束させる結束材と、を備え、
前記扁平体は、第一の方向と、第一の方向に垂直である第二の方向と、第一の方向及び第二の方向に垂直な第三の方向と、に長さを有し、
前記扁平体の第三の方向の長さは、第一の方向及び第二の方向の長さよりも短く形成され、
第三の方向と上下方向が平行な横置きの前記扁平体を積み上げた横置き集合体と、第三の方向と水平方向が平行な縦置きの前記扁平体を横に並べた縦置き集合体と、が並設され、
前記横置き集合体と前記縦置き集合体が前記結束材により固定されることを特徴とする荷物の配置構造。
【請求項２】
前記扁平体は、物品を収納した梱包箱からなることを特徴とする請求項１に記載の荷物の配置構造。
【請求項３】
前記物品は、凹部と凸部が繰り返し形成された金属製の凹凸屋根材であることを特徴とする請求項２に記載の荷物の配置構造。
【請求項４】
扁平な形状をした扁平体と、前記扁平体を積載する荷役台と、複数の前記扁平体を結束させる結束材と、を備え、
前記扁平体は、第一の方向と、第一の方向に垂直である第二の方向と、第一の方向及び第二の方向に垂直な第三の方向と、に長さを有し、
前記扁平体の第三の方向の長さは、第一の方向及び第二の方向の長さよりも短く形成され、
第三の方向と上下方向が平行な横置きの前記扁平体を積み上げた横置き集合体と、第三の方向と水平方向が平行な縦置きの前記扁平体を横に並べた縦置き集合体と、が並設され、
前記結束材により固定された前記横置き集合体と前記縦置き集合体が、前記荷役台に積載されることを特徴とする荷物の積載構造。
【発明の詳細な説明】
【技術分野】
【０００１】
本発明は、荷物の配置構造及び荷物の積載構造に関する。より詳細には、扁平且つ長尺な荷物の配置構造及び荷物の積載構造に関する。
【背景技術】
【０００２】
従来、扁平な形状をした扁平体が荷役台に平積みされ、フォークリフトにより荷役台が運搬されるものが知られている（例えば特許文献１参照）。
【先行技術文献】
【特許文献】
【０００３】
【特許文献１】特開平７−２５７５７５号公報
【発明の概要】
【発明が解決しようとする課題】
【０００４】
この扁平体を積載した荷役台をフォークリフトで持ち上げた際、扁平体は下方向に撓んでしまい、そして扁平体の撓みにより荷役台も撓んでしまっていた。
【０００５】
本発明は上記従来の問題点に鑑みて発明したものであって、その目的とするところは、撓み難い、荷物の配置構造及び荷物の積載構造を提供することを課題とするものである。
【課題を解決するための手段】
【０００６】
上記課題を解決するために、本発明は、以下のような構成とする。
【０００７】
扁平な形状をした扁平体と、複数の前記扁平体を結束させる結束材と、を備え、前記扁平体は、第一の方向と、第一の方向に垂直である第二の方向と、第一の方向及び第二の方向に垂直な第三の方向と、に長さを有し、前記扁平体の第三の方向の長さは、第一の方向及び第二の方向の長さよりも短く形成され、第三の方向と上下方向が平行な横置きの前記扁平体を積み上げた横置き集合体と、第三の方向と水平方向が平行な縦置きの前記扁平体を横に並べた縦置き集合体と、が並設され、前記横置き集合体と前記縦置き集合体が前記結束材により固定されることを特徴とする。
【０００８】
扁平な形状をした扁平体と、前記扁平体を積載する荷役台と、複数の前記扁平体を結束させる結束材と、を備え、前記扁平体は、第一の方向と、第一の方向に垂直である第二の方向と、第一の方向及び第二の方向に垂直な第三の方向と、に長さを有し、前記扁平体の第三の方向の長さは、第一の方向及び第二の方向の長さよりも短く形成され、第三の方向と上下方向が平行な横置きの前記扁平体を積み上げた横置き集合体と、第三の方向と水平方向が平行な縦置きの前記扁平体を横に並べた縦置き集合体と、が並設され、前記結束材により固定された前記横置き集合体と前記縦置き集合体が、前記荷役台に積載されることを特徴とする。
【発明の効果】
【０００９】
本発明の荷物の配置構造では、下方向に撓み難い縦置きの扁平体が横置きの扁平体を支えることができるので、結束材により固定された縦置き集合体と横置き集合体が撓み難くなる。
【００１０】
本発明の荷物の積載構造では、下方向に撓み難い縦置きの扁平体が横置きの扁平体を支えることができるので、結束材により固定された縦置き集合体と横置き集合体が撓み難くなり、これにより荷役台も撓み難くなる。
【図面の簡単な説明】
【００１１】
【図１】本実施形態における縦置き集合体と横置き集合体が結束材により固定された斜視図である。
【図２】本実施形態における梱包箱に凹凸屋根材が収納された斜視図である。
【図３】本実施形態における荷役台に積載物が積載されたときの斜視図である。
【図４】本実施形態における荷役台と積載物の分解斜視図である。
【発明を実施するための形態】
【００１２】
以下、本発明を添付図面に示す実施形態に基いて説明する。
【００１３】
荷物の配置構造は、図１に示すように、荷物である扁平な扁平体１１と、複数の扁平体１１を結束させる結束材１２と、を備える。
【００１４】
本実施形態の扁平体１１は、物品１１ａを収納した梱包箱１１ｂからなることが好ましい。物品１１ａは梱包箱１１ｂに収納されるので、積載し易くなる。なお、扁平体１１は扁平な物品１１ａのみであってもよい。
【００１５】
物品１１ａは、本実施形態では、凹部４１と凸部４２が交互に繰り返し形成された金属製の凹凸屋根材４であるが、特に限定されない。凹凸屋根材４は、屋根下地の上面に固定される。凹凸屋根材４は、金属板がプレス機やロール成形機により曲げ加工されることで形成される。
【００１６】
凹凸屋根材４は、長尺且つ扁平な部材である。凹凸屋根材４は、長手方向と短手方向を有し、長手方向及び短手方向に垂直な厚み方向を有する。凹凸屋根材４の長手方向の長さは約９〜１０ｍとなり、凹凸屋根材４の短手方向の長さは約１〜２ｍとなる。
【００１７】
梱包箱１１ｂは、市場に流通している一般の段ボール箱が好適に用いられるが、特に限定されない。段ボールは、波型の芯材の段ボールが用いられてもよいし、強度を向上させたハニカム状の芯材の段ボールが用いられてもよい。
【００１８】
梱包箱１１ｂは、本実施形態では、長尺且つ扁平な部材である。梱包箱１１ｂは、長手方向と短手方向を有し、長手方向及び短手方向に垂直な厚み方向を有する。梱包箱１１ｂの厚み方向の長さは、梱包箱１１ｂの短手方向の長さよりも短くなる。
【００１９】
梱包箱１１ｂは、厚み方向で互いに対向する第一の対向面部５１と第二の対向面部５２を有する。第一の対向面部５１と第二の対向面部５２は、梱包箱１１ｂの他の対向面部よりも面積が大きく形成される。
【００２０】
梱包箱１１ｂには、本実施形態では、図２に示すように、凹凸屋根材４が一つ収納される。なお、梱包箱１１ｂには凹凸屋根材４が二つ収納されてもよい。この場合の凹凸屋根材４の収納の方法の例を以下に示す。まず、作業者は、第一の凹凸屋根材４を梱包箱１１ｂの底面に沿うように収納し、第一の凹凸屋根材４の上端部を覆うように仕切り材を挿入する。次に、作業者は、第一の凹凸屋根材４の上下を逆にした形態の第二の凹凸屋根材４を仕切り材の上面に沿うように梱包箱１１ｂに収納する。
【００２１】
物品１１ａを収納した梱包箱１１ｂの長手方向及び短手方向は、扁平体１１の第一の方向及び第二の方向に相当する。物品１１ａを収納した梱包箱１１ｂの厚み方向は、扁平体１１の第三の方向に相当する。従って、扁平体１１の第三の方向の長さは、第一の方向の長さ及び第二の方向の長さよりも短く形成される。扁平体１１は、本実施形態では、上記したように長尺品となっているが、特に限定されない。
【００２２】
扁平体１１には、第三の方向と上下方向が平行となる横置きの形態と、第三の方向と水平方向が平行となる縦置きの形態と、がある。上下方向に積み上げられた横置きの扁平体１１が、横置き集合体２０となる。また、横方向に並べられた縦置きの扁平体１１が、縦置き集合体２１となる。
【００２３】
縦置きの扁平体１１の上下方向の長さは横置きの扁平体１１の上下方向の長さよりも長くなる。更に、縦置きの扁平体１１の左右方向の長さは横置きの扁平体１１の左右方向の長さよりも短くなる。これにより、縦置きの扁平体１１は下方向の荷重に対する剛性が高くなり、扁平体１１が持上げられたとき、横置きの扁平体１１よりも下方向に撓み難くなる。
【００２４】
本実施形態の横置き集合体２０では、図１に示すように、梱包箱１１ｂの第一の対向面部５１及び第二の対向面部５２を上下方向で互いに対向させて、梱包箱１１ｂが横置きに置かれる。そして、横置き集合体２０では、複数の横置きの梱包箱１１ｂが、夫々の第一の対向面部５１と第二の対向面部５２を当接させて積み上げられる。
【００２５】
本実施形態の縦置き集合体２１では、図１に示すように、梱包箱１１ｂの第一の対向面部５１及び第二の対向面部５２を水平方向で互いに対向させて、梱包箱１１ｂが縦置きに置かれる。そして、縦置き集合体２１では、複数の縦置きの梱包箱１１ｂが、夫々の第一の対向面部５１と第二の対向面部５２を当接させて横に並べられる。
【００２６】
横置き集合体２０と縦置き集合体２１は、並設される。本実施形態では、横置き集合体２０の短手方向の両側に、縦置き集合体２１が隣接して配置される。なお、縦置き集合体２１は、横置き集合体２０の短手方向の一方側にのみ隣接して配置されてもよい。
【００２７】
これらの横置き集合体２０と縦置き集合体２１が結束材１２により一つに纏められることで、積載物１が形成される。結束材１２は、市場に流通している一般的なバンドや縄等が用いられるが、特に限定されない。本実施形態では、横置き集合体２０の一方側に隣接する縦置き集合体２１と横置き集合体２０が結束材１２により固定される。更に、その固定された集合体と横置き集合体２０の他方側に隣接する縦置き集合体２１が結束材１２により固定されることが好ましい。これにより、横置き集合体２０とその両側の縦置き集合体２１は、一度に結束材１２で固定されるよりも強固に固定される。
【００２８】
また、横置き集合体２０は、複数の縦置き集合体２１の夫々の間に配置されることが好ましい。これにより、横置き集合体２０と縦置き集合体２１が固定された積載物１が持上げられた際に発生する、横置き集合体２０の下方向の撓みを、横置き集合体２０の両側の縦置き集合体２１が抑制することができる。
【００２９】
横置き集合体２０の高さと、縦置き集合体２１の高さは等しいことが好ましい。これにより、横置き集合体２０と縦置き集合体２１が結束材１２により固定され易くなる。
【００３０】
横置き集合体２０と縦置き集合体２１を結束材１２により固定した積載物１は、図３，４に示すように、荷役台３に積載される。荷役台３は、市場で流通している長尺なパレットが好適に用いられるが、特に限定されない。荷役台３は、平面視略矩形状をしているが、特に限定されない。荷役台３は、例えば合成樹脂や木材で形成されるが、その材質は特に限定されない。荷役台３は、横置き集合体２０と縦置き集合体２１を載置する載置部３１と、地面と当接する基部３２と、載置部３１と基部３２を接続する支柱３３と、を有する。荷役台３には、載置部３１と基部３２の間で支柱３３を除いた部分に、フォークリフトの爪が挿入される挿入空間３４が形成される。
【００３１】
以下に、本実施形態の横置き集合体２０と縦置き集合体２１の荷役台３への積載方法について例示する。
【００３２】
作業者は、長尺且つ扁平な物品１１ａを長尺且つ扁平な梱包箱１１ｂに収納する。作業者は、複数の横置きの梱包箱１１ｂを積み上げ、横置き集合体２０を形成する。作業者は、横置き集合体２０の短手方向の一方に隣接させて複数の縦置きの梱包箱１１ｂを横方向に並べ、一方側の縦置き集合体２１を形成する。作業者は、横置き集合体２０と一方側の縦置き集合体２１を結束材１２により固定する。作業者は、横置き集合体２０の短手方向の他方に隣接させて複数の縦置きの梱包箱１１ｂを横方向に並べ、他方側の縦置き集合体２１を形成する。作業者は、先に固定した集合体と他方側の縦置き集合体２１を結束材１２により固定し、積載物１を形成する。作業者は、積載物１を荷役台３に載置する。以上の作業で荷役台３に積載された積載物１は、フォークリフトによりトラックに積み込まれ作業現場まで運搬される。なお、作業者は、荷役台３に直接梱包箱１１ｂを積み上げて、荷役台３に積載物１を固定してもよい。
【００３３】
上記した構成の荷物の配置構造では、縦置き集合体２１の縦置きの扁平体１１が横置き集合体２０の横置きの扁平体１１を支えることができる。従って、結束材１２により固定された縦置き集合体２１と横置き集合体２０が持上げられたとき、縦置き集合体２１が横置き集合体２０の撓みを抑制することができる。
【００３４】
上記した構成の荷物の積載構造では、縦置き集合体２１の縦置きの扁平体１１が横置き集合体２０の横置きの扁平体１１を支えることができる。従って、結束材１２により固定された縦置き集合体２１と横置き集合体２０が積載された荷役台３が、フォークリフトにより持ち上げられたとしても、横置き集合体２０が撓み難いので、荷役台３も撓み難くなる。また、横置き集合体２０と縦置き集合体２１を組み合わせることにより、荷役台３の撓みが抑制されるので、荷役台３の強度を増強させる必要がない。そして、横置き集合体２０と縦置き集合体２１を組み合わせることにより撓みが抑制されるので、小型の荷役台３が使用されても、積載物１を運搬する際に撓みが発生しない。
【００３５】
以下に、本実施形態の荷物の配置構造の構成について記載する。
【００３６】
荷物の配置構造は、扁平な形状をした扁平体１１と、複数の扁平体１１を結束させる結束材１２と、を備える。扁平体１１は、第一の方向と、第一の方向に垂直である第二の方向と、第一の方向及び第二の方向に垂直な第三の方向と、に長さを有する。扁平体１１の第三の方向の長さは、第一の方向及び第二の方向の長さよりも短く形成される。第三の方向と上下方向が平行な横置きの扁平体１１を積み上げた横置き集合体２０と、第三の方向と水平方向が平行な縦置きの扁平体１１を横に並べた縦置き集合体２１と、が並設される。横置き集合体２０と縦置き集合体２１が結束材１２により固定されることを特徴とする。
【００３７】
これによると、下方向に撓み難い縦置きの扁平体１１が横置きの扁平体１１を支えることができるので、結束材１２により固定された縦置き集合体２１と横置き集合体２０が撓み難くなる。
【００３８】
また、扁平体１１は、物品１１ａを収納した梱包箱１１ｂからなることが好ましい。
【００３９】
このように、物品１１ａが梱包箱１１ｂに収納されているので、横置き集合体２０と縦置き集合体２１を形成し易くなる。更に、横置き集合体２０と縦置き集合体２１が結束材１２で固定され易くなる。
【００４０】
また、物品１１ａは、凹部４１と凸部４２が繰り返し形成された金属製の凹凸屋根材４であることが好ましい。
【００４１】
これにより、長尺で扁平な物品１１ａである凹凸屋根材４を撓まないように運搬することができる。
【００４２】
以下に、本実施形態の荷物の積載構造の構成について記載する。
【００４３】
扁平な形状をした扁平体１１と、扁平体１１を積載する荷役台３と、複数の扁平体１１を結束させる結束材１２と、を備える。扁平体１１は、第一の方向と、第一の方向に垂直である第二の方向と、第一の方向及び第二の方向に垂直な第三の方向と、に長さを有する。扁平体１１の第三の方向の長さは、第一の方向及び第二の方向の長さよりも短く形成される。第三の方向と上下方向が平行な横置きの扁平体１１を積み上げた横置き集合体２０と、第三の方向と水平方向が平行な縦置きの扁平体１１を横に並べた縦置き集合体２１と、が並設される。結束材１２により固定された横置き集合体２０と縦置き集合体２１が、荷役台３に積載されることを特徴とする。
【００４４】
これにより、結束材１２により固定した縦置き集合体２１と横置き集合体２０を積載した荷役台３が、フォークリフトにより持ち上げられたとしても、横置き集合体２０及び荷役台３が撓み難くなる。
【符号の説明】
【００４５】
１    積載物
１１  扁平体
１１ａ  物品
１１ｂ  梱包箱
１２  結束材
２０  横置き集合体
２１  縦置き集合体
３    荷役台
【図１】
2015214362.tif 000003
【図２】
2015214362.tif 000004
【図３】
2015214362.tif 000005
【図４】
2015214362.tif 000006